(57)【要約】      （修正有）【課題】生産性が高く、寸法精度の高いパターニングが可能な有機エレクトロルミネッセンス素子のパターニング方法、及び、パターニング装置を提供する。【解決手段】マスク１０を介して有機エレクトロルミネッセンス素子１１の有機機能層に光照射してパターンを形成する有機エレクトロルミネッセンス素子のパターニング方法であって、マスクは有機エレクトロルミネッセンス素子と間隙ｈを有して配置され、間隙に気流発生部８から気体９を流しながら光照射する。【選択図】図１
2019079593.tif 000002
【特許請求の範囲】
【請求項１】
マスクを介して有機エレクトロルミネッセンス素子の有機機能層に光照射してパターンを形成する有機エレクトロルミネッセンス素子のパターニング方法であって、前記マスクは前記有機エレクトロルミネッセンス素子と間隙を有して配置され、前記間隙に気流発生部から気体を流しながら前記光照射することを特徴とする有機エレクトロルミネッセンス素子のパターニング方法。
【請求項２】
前記マスクは遮光膜を有し、前記遮光膜側は有機エレクトロルミネッセンス素子に対向して配置されていることを特徴とする請求項１に記載のパターニング方法。
【請求項３】
前記気流発生部が、スリット状の吹き付け部を備えたものであることを特徴とする請求項１又は請求項２に記載のパターニング方法。
【請求項４】
前記気流発生部が、ノズル状の吹き付け部を備えたものであることを特徴とする請求項１から請求項３までのいずれか一項に記載のパターニング方法。
【請求項５】
前記マスクと前記有機エレクトロルミネッセンス素子との前記間隙が、２０〜３００μｍの範囲内であることを特徴とする請求項１から請求項４までのいずれか一項に記載のパターニング方法。
【請求項６】
前記有機エレクトロルミネッセンス素子に前記光照射を間欠的に行うことを特徴とする請求項１から請求項５までのいずれか一項に記載のパターニング方法。
【請求項７】
光源部、前記光源部からの光をパターン化して有機エレクトロルミネッセンス素子に照射するためのマスク及び気流発生部を備えた有機エレクトロルミネッセンス素子のパターニング装置であって、前記マスクは前記有機エレクトロルミネッセンス素子と間隙を有して配置され、前記光照射するとき、前記間隙に前記気流発生部からの気体を吹き付ける手段を有することを特徴とする有機エレクトロルミネッセンス素子のパターニング装置。
【発明の詳細な説明】
【技術分野】
【０００１】
本発明は、有機エレクトロルミネッセンス素子のパターニング方法及び有機エレクトロルミネッセンス素子のパターニング装置に関し、より詳しくは、生産性が高く、寸法精度の高いパターニングが可能な有機エレクトロルミネッセンス素子のパターニング方法及び有機エレクトロルミネッセンス素子のパターニング装置に関する。
【背景技術】
【０００２】
現在、薄型の発光デバイスとして有機発光パネルが注目されている。例えば、有機材料のエレクトロルミネッセンス（Ｅｌｅｃｔｒｏ  Ｌｕｍｉｎｅｓｃｅｎｃｅ：ＥＬ）を利用した有機発光素子（以下「有機ＥＬ素子」ともいう。）は、数Ｖ〜数十Ｖ程度の低電圧で発光が可能であり、低電力で高い輝度を得ることができ、視認性、応答速度、寿命、消費電力の点で優れ、薄型、軽量にできるといった多くの優れた特徴を有している。このため、有機ＥＬ素子をパネルとして用いた各種ディスプレイや、そのバックライト、看板や非常灯等の表示板、照明光源等の面発光体が近年注目されている。
【０００３】
このような有機ＥＬパネルは、２枚の電極間に有機材料からなる発光層が配置された構成を有し、発光層で生じた発光光は電極を透過して外部に取り出される。このため、２枚の電極のうちの少なくとも一方は透明電極として構成され、透明電極側から発光光が取り出される。
【０００４】
有機ＥＬパネルをディスプレイ用途に用いるため、有機ＥＬ素子の有機機能層にマスクを介して紫外線を照射し、照射された領域の発光効率を低下させ、パターンを形成する製造方法が知られている（特許文献１参照。）。しかし、パネルの大画面化やパネル製造の高い生産性などの要望から、パターンを形成するために多量の紫外線を照射すると、マスクの遮光膜の温度が上昇し、マスクに熱変形が生じてしまい、正確なパターニングが困難となるという問題が顕在化してきた。先行文献１には高放射照度で露光した時のマスクの熱変形抑制方法についての記載がない。
【０００５】
また、紫外線が照射された領域の発光効率が低下する現象には相反則不軌特性があり、同じ積算光量でも照射パワー密度（放射照度）の高い方が、発光効率の低下速度が速くなることが知られている（特許文献２参照。）。
【０００６】
しかしながら、タクトタイムを短縮するため、この相反則不軌特性を利用して高放射照度で有機ＥＬ素子にプロミキシティ露光で光照射を行う場合、紫外光を吸収し高温となったマスクの遮光膜（例えばＣｒ（クロム）の薄膜）の熱の逃げ場がないためにマスクの熱変形が発生し、正確なパターニングができないという問題が生じる。
【０００７】
一方、光照射に伴うマスクの発熱問題を軽減するため、特許文献３には、プロキシミティ露光においてマスクに空気を吹き付けて冷却する手法が記載されている。しかしながら、特許文献３に記載の冷却方法では、ガラス基板（被パターン形成体、本発明では有機ＥＬ素子に相当。）とは反対側のマスク面に、つまり光照射側から空気を吹き付けている。従って、この手法でマスクの遮光膜を冷却するには、マスクを構成する遮光膜を、マスク基材を介して光源側に向ける必要があり、遮光膜と被露光体である有機ＥＬ素子との間隔が拡大してしまい、光照射の際ボケが発生してしまうという問題があった。
【０００８】
したがって、これらの方法では、有機ＥＬ素子に光照射してパターンを形成する際のマスクの寸法安定性を確保するには不十分であり、より効率的な冷却方法が望まれていた。
【先行技術文献】
【特許文献】
【０００９】
【特許文献１】特許第２８００９３５号公報
【特許文献２】国際公開第２０１４／１７５１３５号
【特許文献３】特開平１１−２６３６４号公報
【発明の概要】
【発明が解決しようとする課題】
【００１０】
本発明は、上記問題・状況に鑑みてなされたものであり、その解決課題は、生産性が高く、寸法精度の高いパターニングが可能な有機エレクトロルミネッセンス素子のパターニング方法を提供することである。また、有機エレクトロルミネッセンス素子のパターニング装置を提供することである。
【課題を解決するための手段】
【００１１】
本発明者は、上記課題を解決すべく、上記問題の原因等について検討した結果、マスクを有機ＥＬ素子と間隙を有して配置して光照射（プロキシミティ露光）してパターニングを行う場合、マスクと有機ＥＬ素子の間に空気を流して遮光膜を直接冷却しながら光照射することで、高放射照度の光照射でもマスクの変形を抑えた正確なパターニングが可能となることを見いだし本発明に至った。
【００１２】
すなわち、本発明に係る上記課題は、以下の手段により解決される。
【００１３】
１．マスクを介して有機エレクトロルミネッセンス素子の有機機能層に光照射してパターンを形成する有機エレクトロルミネッセンス素子のパターニング方法であって、前記マスクは前記有機エレクトロルミネッセンス素子と間隙を有して配置され、前記間隙に気流発生部から気体を流しながら前記光照射することを特徴とする有機エレクトロルミネッセンス素子のパターニング方法。
【００１４】
２．前記マスクは遮光膜を有し、前記遮光膜側は有機エレクトロルミネッセンス素子に対向して配置されていることを特徴とする第１項に記載のパターニング方法。
【００１５】
３．前記気流発生部が、スリット状の吹き付け部を備えたものであることを特徴とする第１項又は第２項に記載のパターニング方法。
【００１６】
４．前記気流発生部が、ノズル状の吹き付け部を備えたものであることを特徴とする第１項から第３項までのいずれか一項に記載のパターニング方法。
【００１７】
５．前記マスクと前記有機エレクトロルミネッセンス素子との前記間隙が、２０〜３００μｍの範囲内であることを特徴とする第１項から第４項までのいずれか一項に記載のパターニング方法。
【００１８】
６．前記有機エレクトロルミネッセンス素子に前記光照射を間欠的に行うことを特徴とする第１項から第５項までのいずれか一項に記載のパターニング方法。
【００１９】
７．光源部、前記光源部からの光をパターン化して有機エレクトロルミネッセンス素子に照射するためのマスク及び気流発生部を備えた有機エレクトロルミネッセンス素子のパターニング装置であって、前記マスクは前記有機エレクトロルミネッセンス素子と間隙を有して配置され、前記光照射するとき、前記間隙に前記気流発生部からの気体を吹き付ける手段を有することを特徴とする有機エレクトロルミネッセンス素子のパターニング装置。
【発明の効果】
【００２０】
本発明の上記手段により、生産性が高く、寸法精度の高いパターニングが可能な有機エレクトロルミネッセンス素子のパターニング方法を提供することができる。また、有機エレクトロルミネッセンス素子のパターニング装置を提供することができる。
【００２１】
本発明の効果の発現機構ないし作用機構については、明確にはなっていないが、以下のように推察している。有機ＥＬ素子の有機機能層に光照射してパターンを形成するパターニング方法において、本発明では、マスクを前記有機ＥＬ素子と間隙を有して配置し、光照射（プロキシミティ露光）を行う際マスクと有機ＥＬ素子の間に空気を流して遮光膜を直接冷却するため、冷却効果が高く高放射照度でもマスク変形を抑えた正確なパターニングが可能となると推察される。さらに有機ＥＬ素子も空冷されるので、有機ＥＬ素子の熱的ダメージも抑制できるという利点も有する。
【図面の簡単な説明】
【００２２】
【図１】本発明のパターニング装置の一例の概念図
【図２】マスクを有機ＥＬ素子表面から間隙ｈだけ離して配置した状態で光を照射した場合の断面図の一例
【図３】マスクを有機ＥＬ素子表面から間隙ｈだけ離して配置した状態で光を照射した場合の断面図の他の一例
【図４】スリット状の先端を有する気流発生部の一例の側面図
【図５】ノズル状の先端を有する気流発生部の一例の概念図
【図６】冷却台の概念図の一例
【図７】有機ＥＬ素子の一例の断面図
【発明を実施するための形態】
【００２３】
本発明の有機エレクトロルミネッセンス素子のパターニング方法は、マスクを介して有機エレクトロルミネッセンス素子の有機機能層に光照射してパターンを形成する有機エレクトロルミネッセンス素子のパターニング方法であって、前記マスクは前記有機エレクトロルミネッセンス素子と間隙を有して配置され、前記間隙に気流発生部から気体を流しながら前記光照射することを特徴とする。この特徴は各請求項に係る発明に共通する技術的特徴である。
本発明の実施態様としては、前記マスクは遮光膜を有し、前記遮光膜側は有機エレクトロルミネッセンス素子に対向して配置されていることが、マスクを効果的に冷却する観点から好ましい。また、前記気流発生部が、スリット状やノズル状の吹き付け部を備えたものであることが、マスクの熱変形をより軽減するうえで好ましい。
【００２４】
さらに、本発明においては、マスクと前記有機エレクトロルミネッセンス素子との前記間隙が、２０〜３００μｍの範囲内であることが好ましい。これにより、冷却効率を上げ、かつ光照射の際ボケを防止することができる。
【００２５】
また、本発明においては、マスクの熱変形をより軽減するうえで、有機エレクトロルミネッセンス素子に前記光照射を間欠的に行うことが好ましい。
【００２６】
さらに、上記方法を可能にする有機エレクトロルミネッセンス素子のパターニング装置としては、光源部、前記光源部からの光をパターン化して有機エレクトロルミネッセンス素子に照射するためのマスク及び気流発生部を備えた有機エレクトロルミネッセンス素子のパターニング装置であって、前記マスクは前記有機エレクトロルミネッセンス素子と間隙を有して配置され、前記光照射するとき、前記間隙に前記気流発生部からの気体を吹き付ける手段を有することが好ましい。
【００２７】
以下、本発明とその構成要素、及び本発明を実施するための形態・態様について詳細な説明をする。なお、本願において、「〜」は、その前後に記載される数値を下限値及び上限値として含む意味で使用する。
【００２８】
《有機ＥＬ素子のパターニング方法の概要》
本発明の有機エレクトロルミネッセンス素子のパターニング方法は、マスクを介して有機エレクトロルミネッセンス素子の有機機能層に光照射してパターンを形成する有機エレクトロルミネッセンス素子のパターニング方法であって、前記マスクは前記有機エレクトロルミネッセンス素子と間隙を有して配置され、前記間隙に気流発生部から気体を流しながら前記光照射することを特徴とする。マスクと有機ＥＬ素子の間に気体を流して遮光膜を直接冷却するため、冷却効果が高く高放射照度でもマスク変形を抑えた正確なパターニングが可能となる。さらに有機ＥＬ素子も空冷されるので、有機ＥＬ素子の熱的ダメージも抑制することができ、高放射照度で光照射してもマスクの温度上昇が抑えられ正確なパターニングが可能となる。
【００２９】
以下に本発明の実施形態の一例を図面を用いて説明する。図１は、本発明のパターニング装置の一例の概念図である。
【００３０】
本発明の有機エレクトロルミネッセンス素子のパターニング装置１は、光源部２、前記光源部からの照射光７をパターン化して有機エレクトロルミネッセンス素子１１に照射するためのマスク１０及び気流発生部８を備えた有機エレクトロルミネッセンス素子のパターニング装置であって、前記マスク１０は前記有機エレクトロルミネッセンス素子１１と間隙ｈを有して配置され、前記光照射するとき、前記間隙ｈに前記気流発生部８からの気体を吹き付ける手段を有することを特徴とする。
【００３１】
図１で示される態様においては、光源部２は光源であるＬＥＤ４ａとＬＥＤ基板４ｂとを備えたＬＥＤ光源４を有している。光源部２は、さらに光源で発生した熱を外部に逃がす放熱板３、光源から出射した発散光を所定の広がり角の光束に整形するレンズアレイ５やカバー６を備えることができる。光源からの光照射は、放射照度を高くして相反則不軌特性を利用するとともに、間欠的に行われることが好ましい。間欠的に行われる光照射の光量と時間の制御は、図示されない制御部において調整することができる。
【００３２】
有機ＥＬ素子１１は、これを載置する台として冷却機能を有する冷却台１２に載置されることが好ましい。さらに、マスク１０、は有機ＥＬ素子１１と所定の間隙ｈを空けて配置されている。半導体や液晶表示装置などの回路製造に用いられるプロキシミティ露光装置と同様に、マスク１０はマスクホルダー（不図示）に固定されており、マスクホルダーに備えられたＸ、Ｙ、Ｚ、ＸＹ面内の回転及びチルト調整機構により、マスク１０が有機ＥＬ素子に対して所定の位置に調整配置されることが好ましい。マスクホルダーにはマスク冷却気体を流し込むことができるように開口部が設けられていることが好ましい。
【００３３】
本発明では気流発生部８から、気体９をマスク１０と有機ＥＬ素子１１の間隙ｈに吹き付け、マスク１０と素子１１を空冷する。気体９出口側に気体吸引部１４を設けることにより、より確実に間隙ｈに気体を流すとともに温度上昇した気体を排気することが望ましい。気流発生部８としては、層状に気体を発生でき、マスク面を一様に冷却できる点で、スリット状の吹き付け部を備えたものが望ましい。
【００３４】
基材１０ａと遮光膜１０ｂとを有するマスクの冷却効果を高めるために、遮光膜１０ｂを有機ＥＬ素子１１に対向させて配置することが好ましい。
【００３５】
また、冷却台１２は、その内部に水冷管１３を備え、これに水を流す水冷方式により有機ＥＬ素子１１をさらに冷却することが好ましい。
【００３６】
このような構成とすることで、高放射照度で光照射しても熱によるマスクの変形を抑えた正確なパターニングが可能となる。さらに有機ＥＬ素子も冷却されるので、有機ＥＬ素子の熱的ダメージも抑制することができる。
【００３７】
なお、光照射により生じるマスク１０の寸法変化（変位）は、マスク角部をレーザー変位計Ｓで測定することができる。
【００３８】
以下、さらに詳細に、本発明の実施態様に係る有機ＥＬ素子のパターニング方法について述べる。
【００３９】
《気流発生部》
図１で示したように、本発明の有機エレクトロルミネッセンス素子のパターニング方法において、マスク１０は前記有機エレクトロルミネッセンス素子１１と間隙ｈを有して配置され、前記間隙に気流発生部８から気体９を流しながら光照射することを特徴とする。
【００４０】
気流発生部８からの気体を吹き付ける手段としては、気流発生部８が、図示されないエアコンプレッサーに接続されていて、圧縮空気が送入されることが好ましい。エアコンプレッサーは公知のものを使用できる。気体９は気流発生部８の先端から間隙ｈに向けて吹き付けられる。
【００４１】
気体９の出口側には気体吸引部１４を設け、より確実に気体９を間隙ｈに流すとともに温度上昇した気体９を図示されないポンプを用いて排気することができる。
【００４２】
〈マスクと有機エレクトロルミネッセンス素子との間隙〉
マスクと有機エレクトロルミネッセンス素子との間隙ｈは、２０〜３００μｍの範囲内であることが好ましい。マスクと有機エレクトロルミネッセンス素子との間隙ｈの下限値は、２０μｍ以上であれば、間隙が小さくなることに起因する気体のコンダクタンスの低下、つまり気体の流動性が低くなることもなく、気体が間隙の中を流れることができるため、マスク全面の冷却効果を発現できる。間隙の上限は、マスクに照射する光束のコリメーション半角に依存する。例えば、有機ＥＬ素子に照射する放射照度を高めるためカバーをマスク側の開口面積が小さくなるように傾け集光したり、光源から出射した放射角の大きな光線も光学系に取り込むと、放射照度を高めることができるが、コリメーション半角が大きくなり、マスクへの光束入射角の最大値が大きくなるので、マスクから有機ＥＬ素子の照射がボケてしまい、鮮明なパターンが得られなくない。
【００４３】
この点を図２を用いて説明する。図２はマスクを有機ＥＬ素子表面から間隙ｈだけ離して配置した状態で光を照射した場合の断面図である。マスクの基材１０ａや有機ＥＬ素子の基板１１３における光線の屈折は省略してある。また、有機ＥＬ素子の電極も省略した図である。マスク１０にはラインアンドスペースの遮光膜のパターンが形成されている。透明部の幅はｗ１、遮光膜の幅はｗ２であり、ｗ１＋ｗ２がラインアンドスペースのピッチＰとなる。ハーフピッチはＰ／２となる。マスクへの入射角が最大であるコリメーション半角θの光線Ｌｃのみ図示している。光照射された幅ｄ１の有機機能層は発光せず（スペースパターン）、光が遮光膜で遮られた幅ｄ２の有機機能層のみ発光し（ラインパターン）、パターニングされる。光線が角度を持っているため、遮光膜の下側に潜り込みｄ２＜ｄ１となってしまいパターンがずれてしまう。同じ幅のラインパターンとスペースパターンにする、すなわち、ｄ１＝ｄ２とするためには図３に示すように遮光膜の幅ｗ２を広げ、ｗ１の幅を狭くしてマスクパターンを補正すればよい。
【００４４】
しかし、間隙ｈを広げると補正したｗ１は狭くなり、最終的にはｗ１＝０となる。ｗ１＝０となる間隙ｈが間隙の上限となる。間隙上限とコリメーション半角の関係は次のように導出される。有機機能層の非発光部幅ｄ１は、ｄ１＝ｗ１＋２（ｈ＋ｔ）ｔａｎθとなる。ｔは有機ＥＬ素子の基板の厚さの空気換算長であり、基板の厚さをｔｓ、屈折率をｎｓとしたとき、ｔ＝ｔｓ／ｎｓとなる。同様に発光部幅ｄ２は、ｄ２＝ｗ２−２（ｈ＋ｔ）ｔａｎθとなる。ｄ１＝ｄ２とし、ｗ２＝Ｐ−ｗ１を代入してｗ１とコリメーション半角θの関係式、
ｗ１＝Ｐ／２−２（ｈ＋ｔ）ｔａｎθ
が得られる。ｗ１＝０となるｈを算出すると、
間隙の上限ｈｍａｘは、ｈｍａｘ＝Ｐ／（４ｔａｎθ）−ｔ
となる。
【００４５】
有機ＥＬ素子の発光パターンは視覚に訴えるものであり、半導体や液晶表示素子の回路のようなサブミクロンの解像度は不要である。ラインアンドスペースを解像度指標とした場合にはハーフピッチで０．３ｍｍ前後の解像度が確保できていればよい。ハーフピッチ０．３ｍｍの場合、ピッチＰは０．３ｍｍ×２＝０．６ｍｍとなる。Ｐ＝０．６ｍｍとし、有機ＥＬ素子の基板として厚さ１２５μｍのＰＥＴ（ポリエチレンテレフタレート：屈折率１．７）を用い、コリメーション半角θ＝４５°のパターニング装置を用いた場合、ｈｍａｘは７６μｍとなる。ｔｓ＝７５μｍとすればｈｍａｘ＝１０６μｍと１００μｍ以上にすることができる。従って、プロキシミティ露光にて有機ＥＬ素子をパターニングする場合、有機ＥＬ素子の基板の厚さは７５μｍ以下が好ましい。
【００４６】
ところで、ｈｍａｘは斜光線による照射パターンずれをマスクパターンで補正する観点から導出したものであり、光照射時に発生するマスクの熱変形によるパターンボケは補正することができない。従って、マスク熱変形による間隙の変動は抑制する必要がある。
【００４７】
マスク熱変形による間隙の変動量の許容量を求めるために、実験用のパターニング装置を用い、マスクと有機ＥＬ素子の間隙を変えて光照射し、パターンのボケ量を評価した結果、間隙の変動量は、３０μｍまで許容できることがわかった。このパターニング装置はコリメーション半角が４５°、放射照度４Ｗ／ｃｍ２であるが、コリメーション半角を小さくすれば間隙ｈｍａｘが広がると共にマスク熱変形によるパターンボケも低減され間隙ｈを拡大することができる。しかし、コリメーション半角を小さくすると放射照度が落ちてしまう。有機ＥＬ素子の照度不軌特性を利用して光照射時間を短縮するには１Ｗ／ｃｍ２以上の放射照度が好ましい。この放射照度でコリメーション半角θをできるだけ小さくなるように設計した結果、コリメーション半角は２３°となった。有機ＥＬ素子の基板として厚さ７５μｍのＰＥＴ（屈折率１．７）を用いた場合にはｈｍａｘが３０９μｍと３００μｍ以上に拡大でき、マスク熱変形によるパターンボケが許容できる間隙ｈの変動量は３０μｍ×ｔａｎ４５°／ｔａｎ２３°＝７１μｍと７０μｍ以上に拡大できる。従って、有機ＥＬ素子の発光エリア上の間隙ｈの変動量は７０μｍ以下に抑えることが好ましい。高放射照度としコリメーション半角θが増えた場合には、間隙ｈの変動量は３０μｍ／ｔａｎθ以下とすることが望ましい。
【００４８】
〈気流発生部の先端〉
効率よくマスクを冷却するためには、気流発生部８が、スリット状又はノズル状の先端を有する気流発生部であることが好ましい。スリット状の先端を有する気流発生部であることがより好ましい。
【００４９】
図４はスリット状の先端１５を有する気流発生部８の一例の側面図である。スリット状の先端１５を備えた気流発生部８は、層状の気体９を吹き付けることができる。例えば、間隙が５０〜１００μｍ程度の薄いスリットから、高速で噴出された気体は、周辺の空気を大量に巻き込み層状の空気を吹き付けることができる。このような層状の空気を吹き付けることで、間隙の中に気体が流れ込みやすくなり、マスクを効率的に冷却することができる。
【００５０】
先端がスリット状の吹き付け部の代わりに、図５でノズル状の先端を有する気流発生部の一例の概念図を示したように、ノズル状の吹き付け部１７を備えた気流発生部１６も使用できる。この場合ノズルの数は多いほうが良く、ノズルの数は５〜２０ｍｍの間隔に１個あることが好ましい。ノズル径の大きさは、適宜調整することができる。
【００５１】
スリット状の先端を有する吹き付け部は市販品のものを使用することができる。例えば、サンワエンタープライズ社製の、層状気流発生装置７５０型やスプレーイングシステムジャパン社製のブロアナイフエアーノズルなどを用いることができる。
【００５２】
吹き付け部から吹き付けられる気体の風量としては１０００〜５０００Ｌ／ｍｉｎであることができる。吹き付ける気体の量は、光照射の光量や、間隙ｈに応じて、適宜所望の風量、風速に調節することができる。
【００５３】
また、吹き付けられる空気が、温度調整されたものであることが好ましい。必要に応じて、例えば、５〜１５℃程度に温度調節した空気を用いることで、マスクの冷却効率を上げることができる。
【００５４】
《光照射》
本発明において光照射は、間欠的に行うことが好ましい。光照射を間欠的に行うことにより、マスクの熱変形をさらに抑制し、かつ光源から発生する熱を減少させることができる。
【００５５】
〔相反則不軌特性〕
本発明において「相反則」とは、照射される照射光の強度と照射時間との積である積算光量が一定であれば、有機機能層の変化量も一定であるとするブンゼン−ロスコーの法則に従うことをいう。また、本発明において「相反則不軌」とは、照射される照射光の強度と照射時間との積である積算光量が一定であれば、有機機能層の変化量も一定であるとする相反則が成立しないことをいう。また、本発明において「相反則不軌特性」とは、光の強度及び照射時間と有機機能層の変化量との関係であって、光の強度及び照射時間がいずれかの値を取るときに相反則不軌を生じるものをいい、部分的に相反則が成立する領域が含まれていても良い。
【００５６】
特許文献２に記載されているように、有機ＥＬ素子に照射される照射光の積算光量が同じ値であっても、照射光の強度が異なると有機ＥＬ素子の相対発光輝度も異なっている。これにより、有機ＥＬ素子に対して光照射によるパターン形成を行う場合において、積算光量が一定であっても照射光の強度と照射時間が異なると、有機機能層の相対発光輝度も異なる、すなわち、相反則不軌が起きることが示されている。そして、照射光の強度が大きいほど、小さな積算光量で所望の相対発光輝度のパターンが得られることが示されている。また、この現象は、波長４０４ｎｍの半導体レーザーを光源とした場合だけでなく、光源を波長３６５ｎｍや波長３８５ｎｍのＬＥＤとした場合においても、見られることも記載されている。
【００５７】
〔間欠的に行う光照射〕
本発明においては、この有機ＥＬ素子の相反則不軌特性を利用するとともに、間欠的に光照射を行うことが好ましい。間欠的に行う光照射の１周期の照射時間が１〜１５０秒の範囲内で、デューティ比（照射時間／（照射時間＋消灯時間））が１０〜８０％の範囲内であることが好ましい。より好ましくは、間欠的に行う光照射の１周期の照射時間が５〜６０秒の範囲内で、デューティ比が２０〜６０％の範囲内である。
【００５８】
有機ＥＬパネルの生産性を上げるためには、一回に照射する放射照度は高い方が、積算光量が同じでも有機機能層の変化量が大きいことから好ましいが、発熱量も多くなる。このためデューティ比は８０％以下であることが好ましい。より好ましくは２０〜６０％の範囲内である。間欠的に行う光照射の１周期の照射時間とデューティ比は、１周期の光照射で発生する熱と発光しない時間における放熱及び有機ＥＬ素子の相反則不軌特性との関係で決めることができる。１周期の照射時間が６０秒以上と長い場合は、デューティ比が長くても消灯時間がある程度取れるため消灯時の冷却効果が確保できるので、デューティ比は８０％以下が望ましい。１周期の照射時間が６０秒より短い場合は、熱蓄積を抑制するためにデューティ比は２５〜６０％が望ましい。一方、デューティ比を短くすると積算消灯時間が長くなり、タクトタイムが長くなってしまうので４５〜５５％がより好ましい。
【００５９】
制御部により、点灯、消灯や点灯時の照射出力、照射時間が制御され、光照射は、間欠的に行われる。
【００６０】
〔光源〕
光源部には光源を備えている。光源としては、光照射により有機機能層の機能を阻害し発光機能を低下させるものであればよい。通常の半導体露光装置の放射照度は数十〜数百ｍＷ／ｃｍ２であるが、有機ＥＬ素子を用いる本発明の場合は１Ｗ／ｃｍ２以上で光照射することが好ましい。より好ましくは４Ｗ／ｃｍ２以上である。１Ｗ／ｃｍ２以上あれば、相反則不軌特性を利用して生産性を上げることが容易である。例えば、放射照度１００ｍＷ／ｃｍ２での照射時間は約１２時間であったものが、放射照度を１Ｗ／ｃｍ２に変えた場合７０分、２Ｗ／ｃｍ２にすると３０分、４Ｗ／ｃｍ２では１０分となり、放射照度を上げることによりタクトタイムが大幅に短縮される。放射照度の上限は、マスクの発熱性、光源の入手の容易性などから、７Ｗ／ｃｍ２程度である。
【００６１】
照射用の光源としては、例えば、超高圧水銀灯、高圧水銀灯、低圧水銀灯、カーボンアーク、メタルハライドランプ、キセノンアークランプ、カーボンアークランプ、エキシマランプ、ＵＶ光レーザー、ＬＥＤ等から発せられる１００〜４１０ｎｍの範囲、好ましくは２００〜４１０ｎｍの範囲の波長領域の光を用いることができる。
【００６２】
このなかでも、発熱が小さいこと、電流制御で照射／消灯を高速で正確に行うことができること及び長寿命である等からＬＥＤ光源を好ましく用いることができる。具体的には、波長３６０〜４１０ｎｍのＬＥＤ光源を用いることが好ましく、波長３６５ｎｍや３８５ｎｍのＵＶ−ＬＥＤを好ましく用いることができる。また、ＬＥＤ光源を用いる場合、間欠的に光照射することでＬＥＤ自体の発熱を抑えられることから、ＬＥＤの発熱による発光効率の低下を抑制できる。
【００６３】
光源は２次元状に配置されることが好ましく、光源から出射した発散光を公知のレンズアレイで所定の光束に整形し、光照射することができる。
【００６４】
また、発光部にカバーを設け発光部から照射された紫外線の光量の低下を防ぎ、かつ光量を均一させることができる。そのために、内面が反射材料で覆われていることが好ましい。反射材料は、熱に対して耐性があり、耐久性もあることから、金属材料を用いることができる。例えば、軽量でもあることから、アルミニウムを好ましく使用できる。
【００６５】
《マスク》
マスクは、基材と遮光膜とを有している。遮光膜はパターンを有し、有機ＥＬ素子に光照射する光量を変える役割を有する。基材は紫外線透過率が高く、熱変形の少ないものが好ましい。紫外線の透過光量を変えることができる公知の遮光膜材料を用いて、ガラス基材上にネガ状のパターンを有するガラスマスクを用いることが好ましい。このマスクを介して有機ＥＬ素子に紫外線照射することにより、発光パターンを有する有機ＥＬパネルを作製することができる。例えば、ゼラチン膜中に銀微粒子が分散した白黒写真のネガ画像を用いることで、写真画像を作製することができる。又は、金属、例えばＣｒ（クロム）の薄膜を遮光膜として用いることができる。Ｃｒは紫外光の吸収率が５０％程度と低く、発熱量を低減できることから好ましい。
【００６６】
なお、ここでいう「パターン」とは、有機ＥＬパネルにより表示される図案（図の柄や模様）、文字、画像等をいう。「パターニング」とは、これらのパターン表示機能を持たせることをいう。
【００６７】
また、「発光パターン」とは、有機ＥＬパネルが発光する際、所定の図案（図の柄や模様）、文字、画像等に基づいて、発光面の位置により発光強度（輝度）を変えて光を発光させるためにあらかじめ当該有機ＥＬ素子に形成（付与）される所定の図案（図の柄や模様）、文字、画像等を表示させる機能を有する発生源をいう。
【００６８】
ガラス基材としては、素材として、特に限定されることがなく、例えば、光学用や基板用に用いられる公知のガラス素材を用いることができる。具体的には、アルミノシリケートガラス、ソーダライムガラス、ソーダアルミノケイ酸ガラス、アルミノボロシリケートガラス、ボロシリケートガラス、石英ガラス、チェーンシリケートガラス、結晶化ガラス等のガラスセラミック、リン酸系ガラス又はランタン系ガラス等を挙げることができる。
【００６９】
これらの中では、熱膨張率の低いものが好ましい。具体的には基材の線膨張係数が３×１０−６／℃以下であることが好ましい。このようなガラスとしては、石英ガラス、ガラスセラミック及びボロシリケートガラス（例えば、ショット社製テンパックス  フロート（登録商標））等の耐熱ガラスを挙げることができる。このような基材を用いることで熱変形量をさらに抑制することができる。
【００７０】
ガラスマスクの厚さは特に制限はないが、３〜１０ｍｍのものを用いることができる。
【００７１】
マスクを介して有機ＥＬ素子に光照射する際、マスクと有機ＥＬ素子は垂直に位置しても、水平方向に位置しても構わない。
【００７２】
マスクはマスクホルダー（不図示）に固定されており、マスクホルダーに備えられたＸ、Ｙ、Ｚ、ＸＹ面内の回転及びチルト調整機構により、マスクが有機ＥＬ素子に対して所定の位置に調整配置されることが好ましい。間隙ｈは、その間隔が均一であることが好ましい、そのためには、例えば、マスク１０をチルティングして間隙ｈの制御を行う３点接触型のチルト駆動モータを備えていることが好ましい。また、マスク１０と有機ＥＬ素子の精密なアライメントを行うために、マスクホルダーは、パルスモータ駆動方式によって、Ｘ・Ｙ軸方向におけるセンタリングを行えるように構成されていることが好ましい。
【００７３】
マスクホルダーにはマスク冷却気体を流し込むことができるように開口部が設けられている。
【００７４】
《冷却台》
有機ＥＬ素子を載置する台は、冷却機能を有する冷却台であることが好ましい。熱媒体を循環させて対象部を一定の温度に保つ装置を備えていることが好ましい。冷却台を設けることにより、熱による有機ＥＬ素子のダメージを軽減することができる。
【００７５】
冷却する方法としては、公知の冷却方法が挙げられるが、水冷冷却が簡便で効果的であることから好ましい。
【００７６】
図６は、冷却台の概念図の一例である。図６は、冷却台１２が２系統の循環水を流す場合の例である。冷却台内部には水冷管がはり巡らされており、冷水が水冷管（導入）１３ａで導入され水冷管（排出）１３ｂから排出される。冷却台で熱を吸収した水は図示しない外部に設置されたチラーユニットに送られ、チラーユニット内部にて熱交換され、水温を下げた冷却水が冷却台に供給される。 冷却水はチラーユニットと冷却台を循環する。冷却台に導入される水温は有機ＥＬ素子やマスクが結露しない範囲で３０℃以下が好ましい。１０〜２０℃がより好ましい。
【００７７】
冷却台の材質は熱伝導率の高いものが好ましい。例えば、アルミニウムなどを用いることができる。
【００７８】
《有機エレクトロルミネッセンス素子》
本発明の有機ＥＬ素子のパターニング方法は、マスクを介して有機ＥＬ素子の有機機能層に光照射してパターンを形成する。本発明に係る有機ＥＬ素子は、少なくとも一対の電極間に一つ又は複数の有機機能層を備えている。本発明における有機機能層とは、有機化合物を含有する層をいう。例えば、正孔注入層、正孔輸送層、発光層（青色発光層、緑色発光層、赤色発光層を含む）電子輸送層、電子注入層を挙げることができる。
【００７９】
本発明に係る有機ＥＬ素子は、種々の構成を採り得るが、一例を図7に示す。なお図７は説明のため縦横比は正確ではない。
【００８０】
図７に示すとおり、本発明に係る有機ＥＬ素子１００は、基板１１３上に設けられており、基板１１３側から順に、第一電極（透明電極）２１、有機材料等を用いて構成された有機機能層２３、及び第二電極（対向電極）２５ａをこの順に積層して構成されている。第一電極２１（下地層２１ａと電極層２１ｂからなる。）の端部には、取り出し電極１１６が設けられている。第一電極２１と外部電源（図示略）とは、取り出し電極１１６を介して、電気的に接続される。有機ＥＬ素子１００は、発生させた光（発光光Ｌｇ）を、少なくとも基板１１３側から取り出すように構成されている。
【００８１】
また、有機ＥＬ素子１００の層構造が限定されることはなく、一般的な層構造であって良い。ここでは、第一電極１がアノード（すなわち陽極）として機能し、第二電極２５ａがカソード（すなわち陰極）として機能することとする。この場合、例えば、有機機能層２３は、アノードである第一電極２１側から順に正孔注入層２３ａ／正孔輸送層２３ｂ／発光層２３ｃ／電子輸送層２３ｄ／電子注入層２３ｅを積層した構成が例示されるが、このうち、少なくとも有機材料を用いて構成された発光層２３ｃを有することが必須である。正孔注入層２３ａ及び正孔輸送層２３ｂは、正孔輸送注入層として設けられても良い。電子輸送層２３ｄ及び電子注入層２３ｅは、電子輸送注入層として設けられても良い。
【００８２】
また、有機機能層２３は、これらの層の他にも正孔阻止層や電子阻止層等が、必要に応じて必要箇所に積層されていても良い。さらに、発光層２３ｃは、各波長領域の発光光を発生させる各色発光層を有し、これらの各色発光層を、非発光性の中間層を介して積層させた構造としても良い。中間層は、正孔阻止層、電子阻止層として機能しても良い。さらに、カソードである第二電極２５ａも、必要に応じた積層構造であっても良い。このような構成において、第一電極２１と第二電極２５ａとで有機機能層２３が挟持された部分のみが、有機ＥＬ素子１００における発光領域となる。
【００８３】
また、以上のような層構成においては、第一電極２１の低抵抗化を図ることを目的として、第一電極２１の電極層２１ｂに接して補助電極１１５が設けられていても良い。
【００８４】
以上のような構成の有機ＥＬ素子１００は、有機材料等を用いて構成された有機機能層２３の劣化を防止することを目的として、基板１１３上において後述する封止材１１７で封止されている。この封止材１１７は、接着剤１１９を介して基板１１３側に固定されている。ただし、第一電極２１（取り出し電極１１６）及び第二電極２５ａの端子部分は、基板１１３上において有機機能層２３によって互いに絶縁性を保った状態で封止材１１７から露出させた状態で設けられている。
【００８５】
なお、有機ＥＬ素子を構成する各層に用いられている材料は、公知のものを用いることができる。
【実施例】
【００８６】
以下、実施例を挙げて本発明を具体的に説明するが、本発明はこれらに限定されるものではない。なお、実施例において「部」又は「％」の表示を用いるが、特に断りがない限り「質量部」又は「質量％」を表す。
【００８７】
〔実施例１〕
［有機ＥＬ素子の作製］
《有機ＥＬ素子１０１の作製》
厚さ７５μｍのＰＥＴ（コスモシャインＡ４３００  東洋紡製）の透明樹脂基板上に、真空蒸着装置内で、下記構造式で表される含窒素化合物Ｎ−１を２５ｎｍの厚さで成膜後、マスクを使用して陽極として銀を１０ｎｍの厚さで成膜した。
【００８８】
更に、蒸着用るつぼの各々に、正孔注入材料としてＣｕＰｃ（銅フタロシアニン）、正孔輸送材料としてα−ＮＰＤ、緑色発光層のホスト化合物としてＣＢＰ、緑色発光層のドーパントとしてＩｒ（ｐｐｙ）３、電子輸送材料としてＡｌｑ３、電子注入材料としてＬｉＦを各々素子作製に最適の量を充填した。蒸着用るつぼはモリブデン製又はタングステン製抵抗加熱用材料で作製されたものを用いた。
【００８９】
Ｎ−１、ＣｕＰｃ、α−ＮＰＤ、ＣＢＰ、Ｉｒ（ｐｐｙ）３、ＢＡｌｑ、Ａｌｑ３の各構造式を、それぞれ、以下に示す。
【００９０】
【化１】
2019079593.tif 000003
【００９１】
次いで、真空度４×１０−４Ｐａまで減圧した後、ＣｕＰｃの入った前記蒸着用るつぼに通電して加熱し、ＣｕＰｃを蒸着速度０．１ｎｍ／秒で樹脂基板の銀電極側に蒸着し、層厚１５ｎｍの正孔注入層を設けた。
【００９２】
次いで、α−ＮＰＤの入った前記蒸着用るつぼに通電して加熱し、α−ＮＰＤを蒸着速度０．１ｎｍ／秒で正孔注入層上に蒸着し、厚さ２５ｎｍの正孔輸送層を設けた。
【００９３】
次いで、５質量％のＩｒ（ｐｐｙ）３とＣＢＰの入った前記蒸着用るつぼに通電して加熱し、Ｉｒ（ｐｐｙ）３とＣＢＰとを合計の蒸着速度０．１ｎｍ／秒で正孔輸送層上に共蒸着し、層厚１０ｎｍの緑色発光層を設けた。
【００９４】
次いで、ＢＡｌｑの入った前記蒸着用るつぼに通電して加熱し、ＢＡｌｑを蒸着速度０．１ｎｍ／秒で緑色発光層上に蒸着し、層厚１５ｎｍの正孔阻止層を設けた。
【００９５】
次いで、Ａｌｑ３の入った前記蒸着用るつぼに通電して加熱し、Ａｌｑ３を蒸着速度０．１ｎｍ／秒で正孔阻止層上に蒸着し、層厚３０ｎｍの電子輸送層を設けた。
【００９６】
更に、ＬｉＦの入った前記蒸着用るつぼに通電して加熱し、ＬｉＦを蒸着速度０．１ｎｍ／秒で電子輸送層上に蒸着し、層厚１ｎｍの電子注入層を設けた。このようにして有機機能層を形成した。
【００９７】
最後に、アルミニウムを電子注入層上に蒸着し、層厚１１０ｎｍの陰極を設けた。そして、前記蒸着面側を厚さ２００μｍのエポキシ樹脂で覆って封止材とし、更に、厚さ１２μｍのアルミニウム箔で覆って保護膜とした後、硬化させた。ここまでの操作は全て、素子を大気に接触させることなく、窒素雰囲気下のグローブボックス（純度９９．９９９％以上の高純度窒素ガスの雰囲気下）内で行った。
【００９８】
このようにして有機ＥＬ素子１０１を作製した。有機ＥＬ素子の厚さは、０．２８７ｍｍであった。パターニングに際し、サイズは７０×１００ｃｍの大きさのものを用いた。
【００９９】
《パターニングされた有機ＥＬパネル１０１の作製》
［紫外線照射］
図１に示したパターニング装置を用いて、有機ＥＬ素子１０１の光照射を連続的に行ってパターニングし、有機ＥＬパネル１０１を作製した。パターニングの条件を以下に示す。
【０１００】
〈ガラスマスク〉
厚さ５ｍｍ、８１．３×１３７．９ｃｍの大きさの、石英ガラス基材にハーフピッチ０．３ｍｍのラインアンドスペース（０．３ｍｍ毎に白（透明）と黒が交互する長さ２ｍｍの線状のパターン）を縦、横、斜め４５度に配したチェック用パターンを、Ｃｒ（クロム）の薄膜で形成したガラスマスクを用いた。
【０１０１】
冷却台上のガラスマスクの中央部に、上記作製した有機ＥＬ素子１０１を密着して載置した。その上に、マスクホルダーを用いて間隙３０μｍで位置決めをして上記ガラスマスクを、Ｃｒ（クロム）の蒸着面を有機ＥＬ素子に対向して固定した。
【０１０２】
以下の条件でそれぞれ、室温２５℃の環境下、有機ＥＬパネルを作製した。
【０１０３】
〈カバー〉
寸法：Ｗ１１５５ｍｍ×Ｄ７８４．５ｍｍ×Ｈ２５００ｍｍ
材質：アルミ製内壁の反射板（厚さ１．５ｍｍ）／空気層（厚さ５ｍｍ）／アルミ製外壁（厚さ７．５ｍｍ）のアルミニウムサンドウイッチ構造を有するカバーを用いた。
【０１０４】
カバーとガラスマスクの間隙：５．０ｍｍ
〈発光部〉
光源：波長３８５ｎｍのＬＥＤ（日亜化学工業株式会社製）を２次元状に配置し、レンズアレイでコリメーション半角４５°に整形した。
【０１０５】
放射照度：４Ｗ／ｃｍ２
〈冷却台〉
厚さ６０ｍｍのアルミニウム中に１０ｍｍφの直径の水冷管を有す冷却台を用い、温度２０℃の水を、５ｍ３／ｍｉｎの速度で循環させた。
【０１０６】
この条件で連続して光照射した場合の、マスク角部のＺ方向（垂直方向）の変形量Δｈを図１で示したレーザー変位計Ｓ（キーエンス製  ＬＫ−Ｈ１５０）で測定した（図１参照。）。
【０１０７】
その結果、変形量Δｈの許容範囲４５μｍを超えてしまった。この許容量４５μｍは、シミュレーションにより有機ＥＬ素子の発光エリア端部におけるＺ方向のマスク変形量が３０μｍとなる場合のマスクの熱変形時の形状を導出し、この時のマスク角部の変形量Δｈを算出したものである。連続的に光照射を行い、気体を吹き付けない場合、光照射途中でマスク変形が許容値を超えてしまい、シミュレーションの結果どおり正確なパターニングができなかった。
【０１０８】
《パターニングされた有機ＥＬパネル１０２の作製》
有機ＥＬパネル１０１の作製において、気流発生部と気流吸引部を取り付け、以下のようにガラスマスクと有機ＥＬ素子１０１の間隙ｈに空気を吹き付けながら光照射を行った。その他は有機ＥＬパネル１０１の作製と同様にして有機ＥＬパネル１０２を作製した。
【０１０９】
〈気流発生部〉
吹き付け部がスリット状の層状気流発生部を用いて、ガラスマスクと有機ＥＬ素子の間隙ｈの中央部分に吹き付けた。なお、吹き付けの中心位置が水平方向でムラが出ないように、有機ＥＬ素子の位置及びマスクの位置を微調整した。
【０１１０】
気流発生部の吹き付け部の角度：ガラスマスクに対して平行（０度）
気流発生部とカバー側面の距離：７２ｍｍ
吹き付ける空気の温度：２５℃
圧縮空気圧力：０．３ＭＰａ
空気消費量：１５００Ｌ／ｍｉｎ
〈気流吸引部〉
気流発生部の反対側には、気流吸引部を設けた。
【０１１１】
この条件で連続して光照射した場合の、変形量Δｈを同様にレーザー変位計で測定した。その結果、光照射時、ガラスマスクの変形量は許容範囲の４５μｍ以内におさめることができた。
【０１１２】
《パターニングされた有機ＥＬパネル１０３の作製》
有機ＥＬパネル１０２の作製において、発光部におけるＬＥＤの光照射を以下のように間欠的に行った。その他は、有機ＥＬパネル１０２の作製と同様にして有機ＥＬパネル１０３を作製した。
【０１１３】
放射照度：４Ｗ／ｃｍ２
１周期の照射時間１５秒、消灯時間１５秒（デューティ比５０％）の間欠照射を２０サイクル行った（計６００秒）。
【０１１４】
この条件で、同様に光照射時の変位をレーザー変位計で測定した。マスク変形Δｈの最大値は、有機パネル１０２からさらに１１μｍ小さくなり、正確なパターニングが可能であることが分かった。
【符号の説明】
【０１１５】
１  有機ＥＬ素子のパターニング装置
２  光源部
３  放熱板
４  ＬＥＤ光源
４ａＬＥＤ
４ｂＬＥＤ基板
５  レンズアレイ
６  カバー
７  照射光
８、１６  気流発生部
９  気体
１０  マスク
１０ａ  基材
１０ｂ  遮光膜
１１  有機ＥＬ素子
１２  冷却台
１３  水冷管
１３ａ  水冷管（導入）
１３ｂ  水冷管（排出）
１４  気体吸引部
１５  スリット状の先端
１６  ノズル状の先端
ｗ１  透明部の幅
ｗ２  遮光部の幅
ｈ  間隙
ｈｍａｘ  間隙の上限
Ｐ  ラインアンドスペースのピッチ
Ｌｃ  コリメーション半角θの光線
θ  コリメーション半角
Ｓ  レーザー変位計
ｔ  有機ＥＬ素子の基板の厚さ（空気換算長）
２１  第一電極
２１ａ  下地層
２１ｂ  電極層
２３  有機機能層
２３ａ  正孔注入層
２３ｂ  正孔輸送層
２３ｃ  発光層
２３ｄ  電子輸送層
２３ｅ  電子注入層
２５ａ  第二電極
１００  有機ＥＬ素子
１１３  基板
１１３ａ  光取り出し面
１１５  補助電極
１１６  取り出し電極
１１７  封止材
１１９  接着剤
Ｌｇ  発光光
【図１】
2019079593.tif 000004
【図２】
2019079593.tif 000005
【図３】
2019079593.tif 000006
【図４】
2019079593.tif 000007
【図５】
2019079593.tif 000008
【図６】
2019079593.tif 000009
【図７】
2019079593.tif 000010